(57)【要約】【課題】吸込力が低下しにくく、長期間メンテナンス不要の電気掃除機を提供する。【解決手段】電動送風機２により吸引口６から吸引した塵埃を含む空気を導入する集塵ケース３と、集塵ケース３内に配置され吸引された塵埃を捕集するフィルター１３と、集塵ケース３内と外気とを連通すると共に吸引口６とは異なる開口部２０と、開口部２０を開閉する第１の開閉手段２１と、第１の開閉手段２１よりも上流側に位置し吸引口６を開閉する第２の開閉手段２５と、フィルター１３に設けた揺動部材１５とを備え、電動送風機２で吸引している状態で第１及び第２の開閉手段２１、２５を閉じて、集塵ケース３内の圧力を負圧状態にした後、第１の開閉手段２１を開閉して、開口部２０から集塵ケース３内に流入する外気気流５０を発生させ、この外気気流５０でフィルター１３に付着した塵埃を除去し、かつ外気気流５０を揺動部材１５に衝突させてフィルター１３を揺動する。【選択図】図７
2011078613.tif 000002
【特許請求の範囲】
【請求項１】
吸引風を発する電動送風機と、前記電動送風機の上流側に設置され前記電動送風機により吸引口から吸引した塵埃を含む空気を導入する集塵ケースと、前記集塵ケース内に配置され吸引された塵埃を捕集するフィルターと、前記集塵ケース内と外気とを連通すると共に前記吸引口とは異なる開口部と、前記開口部を開閉する第１の開閉手段と、前記第１の開閉手段よりも上流側に位置すると共に前記吸引風の通路を開閉する第２の開閉手段と、前記フィルターに設けた揺動部材とを備え、前記電動送風機で吸引している状態で前記第１及び第２の開閉手段を共に閉じて、前記集塵ケース内の圧力をさらに大気圧より低い負圧状態にした後、前記第１の開閉手段を少なくとも１回開閉することで、前記集塵ケース内圧力と大気圧との圧力差により生じる、前記開口部から前記集塵ケース内への外気気流を発生させ、この外気気流で前記フィルターに付着した塵埃を除去し、加えて、前記外気気流を前記揺動部材に衝突させて前記フィルターを揺動するようにした電気掃除機。
【請求項２】
揺動部材を、外気気流がフィルターの表面側に導かれるように案内ガイド形状とした請求項１に記載の電気掃除機。
【請求項３】
揺動部材を、フィルターのプリーツ形状の谷側部分に設けた請求項１又は２に記載の電気掃除機。
【請求項４】
揺動部材を、第１の開閉手段近傍に設けかつ前記揺動部材より外気気流で動く揺動体を設けた請求項１〜３のいずれか１項に記載の電気掃除機。
【請求項５】
揺動部材を、フィルターのプリーツ形状に略沿う形状とし、かつ前記揺動部材が外気気流により回動又は撓んでも、元の位置に戻る構成とした請求項１〜４のいずれか１項に記載の電気掃除機。
【発明の詳細な説明】
【技術分野】
【０００１】
本発明は、電気掃除機に関するもので、特に、フィルターの除塵機能を有した電気掃除機に関するものである。
【背景技術】
【０００２】
従来、この種の電気掃除機は、吸引口から流入した含塵空気から塵埃を分離する塵埃分離部と、塵埃分離部を通過した空気にまだ含まれる細塵を捕捉するためにプリーツ状のフィルターを有しており、フィルターの吸気面を除塵すると共に往復移動可能に配置された櫛刃状の除塵子、該除塵子に一方向への移動力を付与する回転駆動体、および前記除塵子を初期の位置に復帰させるばね部材をそれぞれ設けた中間部材を、前記フィルターの吸気側に着脱自在に設けていた（例えば、特許文献１参照）。
【先行技術文献】
【特許文献】
【０００３】
【特許文献１】特公昭６３−５１０１３号公報
【発明の概要】
【発明が解決しようとする課題】
【０００４】
しかしながら、前記従来の電気掃除機の構成では、除塵子に往復運動を与えるための駆動源、駆動力を伝達するギヤ部、また回転運動を直線運動に変換するギヤ部等の構成が複雑になってしまったり、このギヤ構成の一部を、フィルターの吸気面側に配置させる必要があることから、フィルターの吸気面に付着する細塵がギヤ部にも付着してしまうと、細塵の咬み込みにより、ギヤ部がロックしてしまうなど、除塵動作の信頼性にも課題があった。また、このはじき除塵による衝撃では、フィルター部に詰まった塵埃を充分に除塵することが出来ないという課題を有していた。
【０００５】
本発明は、前記従来の課題を解決するもので、フィルターに詰まった塵埃を確実に取り除いて、塵埃を多量に吸引しても吸込力が低下しにくく、高い吸込仕事率を長期間維持することができ、さらに長期間メンテナンス不要の電気掃除機を提供することを目的とする。
【課題を解決するための手段】
【０００６】
前記従来の課題を解決するために、本発明の電気掃除機は、吸引風を発する電動送風機と、前記電動送風機の上流側に設置され前記電動送風機により吸引口から吸引した塵埃を含む空気を導入する集塵ケースと、前記集塵ケース内に配置され吸引された塵埃を捕集するフィルターと、前記集塵ケース内と外気とを連通すると共に前記吸引口とは異なる開口部と、前記開口部を開閉する第１の開閉手段と、前記第１の開閉手段よりも上流側に位置すると共に前記吸引風の通路を開閉する第２の開閉手段と、前記フィルターに設けた揺動部材とを備え、前記電動送風機で吸引している状態で前記第１及び第２の開閉手段を共に閉じて、前記集塵ケース内の圧力をさらに大気圧より低い負圧状態にした後、前記第１の開閉手段を少なくとも１回開閉することで、前記集塵ケース内圧力と大気圧との圧力差により生じる、前記開口部から前記集塵ケース内への外気気流を発生させ、この外気気流で前記フィルターに付着した塵埃を除去し、加えて、前記外気気流を前記揺動部材に衝突させて前記フィルターを揺動するようにしたもので、フィルターの表面に付着した塵埃はフィルターの表面からわずかに浮くあるいは隙間ができフィルターから塵埃を剥がしやすくなり、塵埃を多量に吸引しても吸込力が低下しにくく、高い吸込仕事率を長期間維持することができ、さらに長期間メンテナンス不要の電気掃除機を提供することができる。
【発明の効果】
【０００７】
本発明の電気掃除機は、塵埃を多量に吸引しても吸込力が低下しにくく、高い吸込仕事率を長期間維持することができ、さらに長期間に渡ってメンテナンスが不要となる。
【図面の簡単な説明】
【０００８】
【図１】本発明の実施の形態１における電気掃除機の全体を示す側面図
【図２】同電気掃除機の掃除機本体の縦断面図
【図３】同電気掃除機のフィルターを示す斜視図
【図４】（ａ）同電気掃除機のフィルターに設けた揺動部材の一部拡大図、（ｂ）同揺動部材の動作図
【図５】同電気掃除機における掃除中の掃除機本体の縦断面図
【図６】同電気掃除機における第２の開閉手段を閉じたときの掃除機本体の縦断面図
【図７】同電気掃除機における第２の開閉手段を閉じ、第１の開閉手段を開いたときの掃除機本体の縦断面図
【図８】（ａ）同電気掃除機の揺動部材の他の例を示すフィルターの部分斜視図、（ｂ）同揺動部材の動作を説明するフィルターの部分斜視図
【図９】（ａ）同電気掃除機の揺動部材の他の例を示すフィルターの部分斜視図、（ｂ）同揺動部材の動作を説明するフィルターの部分斜視図
【図１０】（ａ）同電気掃除機の揺動部材の他の例を示すフィルターの部分斜視図、（ｂ）同揺動部材の動作を説明するフィルターの部分斜視図
【図１１】（ａ）同電気掃除機の揺動部材の他の例を示すフィルターの部分斜視図、（ｂ）同揺動部材の動作を説明するフィルターの部分斜視図
【発明を実施するための形態】
【０００９】
第１の発明は、吸引風を発する電動送風機と、前記電動送風機の上流側に設置され前記電動送風機により吸引口から吸引した塵埃を含む空気を導入する集塵ケースと、前記集塵ケース内に配置され吸引された塵埃を捕集するフィルターと、前記集塵ケース内と外気とを連通すると共に前記吸引口とは異なる開口部と、前記開口部を開閉する第１の開閉手段と、前記第１の開閉手段よりも上流側に位置すると共に前記吸引風の通路を開閉する第２の開閉手段と、前記フィルターに設けた揺動部材とを備え、前記電動送風機で吸引している状態で前記第１及び第２の開閉手段を共に閉じて、前記集塵ケース内の圧力をさらに大気圧より低い負圧状態にした後、前記第１の開閉手段を少なくとも１回開閉することで、前記集塵ケース内圧力と大気圧との圧力差により生じる、前記開口部から前記集塵ケース内への外気気流を発生させ、この外気気流で前記フィルターに付着した塵埃を除去し、加えて、前記外気気流を前記揺動部材に衝突させて前記フィルターを揺動するようにしたもので、フィルターの表面に付着した塵埃はフィルターの表面からわずかに浮くあるいは隙間ができフィルターから塵埃を剥がしやすくなり、塵埃を多量に吸引しても吸込力が低下しにくく、高い吸込仕事率を長期間維持することができ、さらに長期間メンテナンス不要の電気掃除機を提供することができる。
【００１０】
第２の発明は、特に、第１の発明の揺動部材を、外気気流がフィルターの表面側に導かれるように案内ガイド形状としたもので、より効率よく外気気流をフィルターの表面に導くことができ、付着した塵埃をフィルターの表面から弾き飛ばす効果をさらに増大することができる。
【００１１】
第３の発明は、特に、第１又は第２の発明の揺動部材を、フィルターのプリーツ形状の谷側部分に設けたもので、塵埃が一番付着しやすい谷側部分を揺らすことで外気気流が届きにくい部分であるにもかかわらず塵埃をフィルター表面から剥がすことができる。特にフィルターの下部では外気気流の勢いが少なくなるがこの構成によりフィルター全体にわ
たり効率よく塵埃を剥がし除去することができる。
【００１２】
第４の発明は、特に、第１〜３のいずれか一つの発明の揺動部材を、第１の開閉手段近傍に設けかつ前記揺動部材より外気気流で動く揺動体を設けたもので、外気流入によって揺動体が振れ回りフィルターの表面に当ることにより塵埃を剥がし、あるいは浮かせることができるものである。これに外気気流の勢いで塵埃をより簡単に効率よく弾き飛ばしフィルター面上に残る塵埃も落とすことができるものである。
【００１３】
第５の発明は、特に、第１〜４のいずれか一つの発明の揺動部材を、フィルターのプリーツ形状に略沿う形状とし、かつ前記揺動部材が外気気流により回動又は撓んでも、元の位置に戻る構成としたもので、外気気流がフィルターの表面の塵埃を除去して弾き飛ばすと同時に、弾き飛ばされた塵埃は、揺動部材が気流により回動又は撓んでできたフィルターと揺動部材の隙間を通過し、下方に落下していく。落下した塵埃の一部が舞い上がり再度フィルターに付着する場合があるが、揺動部材が、瞬間的に通過する外気気流の勢いがなくなるとその弾性により元の位置に戻るので、弾き飛ばされた塵埃は舞い上がり等でフィルターに逆流や再付着しようとしても隙間がなくなることで戻ることができずにフィルターの表面に付着することができない。すなわち、流入した外気気流が前記フィルターの上部から下方へ沿って流れるようにし、かつその流れに対して回動する逆流防止の揺動部材を設けたことにより塵埃は下方に弾き流され戻ることが無い。
【００１４】
以下に本発明の実施の形態について図面を参照しながら説明する。なお、本実施の形態によって本発明が限定されるものではない。
【００１５】
（実施の形態１）
本発明の第１の実施の形態における電気掃除機について、図１〜７を用いて説明する。図１は、本実施の形態における電気掃除機の全体を示す側面図、図２は、同電気掃除機の掃除機本体の縦断面図である。
【００１６】
図１において、本実施の形態における電気掃除機の掃除機本体１の後部に、電動送風機２を内蔵する電動送風機室１８を配し、前部に塵埃を分離捕集する集塵ケース３を配し、更に、掃除機本体１の前部には、ホース４の一端に設けた接続パイプ５が着脱自在に接続される吸引口６が設けられている。ホース４の他端には、掃除の際に握る把手７ａを備えた先端パイプ７を設けており、この先端パイプ７には、延長管８の一端が着脱自在に接続され、さらに延長管８の他端には、床面の塵埃を吸い込むための吸込具９が着脱自在に接続されている。
【００１７】
図２において、掃除機本体１の前部には、塵埃を捕集する粗塵分離部１０を配している。粗塵分離部１０には、電動送風機２で発生する吸引風により吸引された粗塵を分離するための粗塵フィルター１１を配し、ここで、小石、綿ゴミ等の粗塵を分離する。この粗塵フィルター１１は、金属メッシュ、パンチングメタル、樹脂メッシュなど、砂塵などの細塵が通り抜けられる比較的孔径の大きな部材を用いるのが好ましく、本実施の形態１では、貫通孔径が１００〜３００ミクロンの微小な開口の貫通孔（図示せず）を設けた金属メッシュを用いている。
【００１８】
粗塵フィルター１１と電動送風機２との間には、粗塵フィルター１１を通過した細塵を捕獲するための細塵分離部１２を配し、細塵分離部１２の下方には塵埃収容部１６を設けている。塵埃収容部１６の上部には、塵埃舞い上がり防止リブ１７が斜め下方向を向いて配置されている。
【００１９】
細塵分離部１２には、ＰＥＴ樹脂で剛性を持たせたシート状の濾材の上流側に貫通孔径
が約０．５ミクロンのＰＴＦＥ膜を付着させたプリーツ状のフィルター１３を備え、そのフィルター１３の周囲を弾性枠体１４にて弾性保持している。このフィルター１３は、細塵を分離、捕獲するものであり、折り返し部が上下方向となるように配している。これは、フィルター１３の吸気面に付着した細塵を除去する際、フィルター１３の吸気面から離脱した細塵を、下方に設けた塵埃収容部１６まで誘導するためである。ここで言うフィルター１３の吸気面とは、電動送風機２で発生する吸引風が入り込んでくる上流側のフィルター面のことである。なお、フィルター１３は、プリーツ形状でなく平板形状等の他の形状でも構わない。また、本実施の形態では、粗塵フィルター１１とフィルター１３の２つのフィルターを用いて塵埃を分離しているが、１つのフィルターであっても構わない。
【００２０】
フィルター１３の上流側上方には、外気と集塵ケース３内を連通する開口部２０と、開口部２０を開閉すると共に蓋状の第１の開閉手段２１が配置され、第１の開閉手段２１は、バネＡ２２によって、開口部２０を常時閉じる方向に付勢されている。
【００２１】
第１の開閉手段２１は、開閉棒２３によって下方から突き上げられて開閉する機構となっている。第１の開閉手段２１の上方には、第１の開閉手段２１に外部から直接触れられないようにするために、外気と連通する格子２４が設けられている。
【００２２】
吸引風が通過する通路である吸引口６には、吸引口６を開閉する第２の開閉手段２５が回転軸２６によって回転自在に保持され、第２の開閉手段２５は、バネＢ２７によって、吸引口６を常に開く方向に付勢されている。
【００２３】
なお、本実施の形態では、吸引口６に第２の開閉手段２５を設けたが、吸引口６に限らず粗塵分離部１０内など、第１の開閉手段２１の上流側にあればよいものである。
【００２４】
集塵ケース３の下には、第１の開閉手段２１と第２の開閉手段２５を開閉させる駆動源であるモータ２８と、モータ２８の回転力を伝達するシャフト２９が配され、シャフト２９には、開閉棒２３を上方向に動かすためのカムＡ３０と、回転軸２６を回転させるためのカムＢ３１がそれぞれ設けられている。
【００２５】
このように、第１の開閉手段２１および第２の開閉手段２５を、１つのモータ２８で開閉させる構成としたことにより、２つの開閉手段の動作タイミングのずれを少なくすることができ安価で信頼性の高い電気掃除機を提供することができる。
【００２６】
図３は、フィルター１３の斜視図で、同図に示すように、開口部２０は、フィルター１３のプリーツ形状の各々の谷部とほぼ同一の形状となって開口している。本実施の形態では、モータ２８が動作して、第１の開閉手段２１が開くと、格子２４を通して外気が勢い良く開口部２０に流入するようになっている。
【００２７】
フィルター１３には、図４（ａ）に示すように外気気流５０により遥動する揺動部材１５を設けている。揺動部材１５は、気流を受けやすい形状にしており、これにより揺動部材１５が外気気流５０により揺れると、その揺れをフィルター１３に伝える。そして、図４（ｂ）に示すように、揺動部材１５が揺れることで、フィルター１３の表面に付着した塵埃（細塵４１）は、外気気流５０のみよりもフィルター１３の表面から外気気流５０により剥がされ下部に落ちていく。現象としては、フィルター１３の表面に付着した塵埃が揺動により振られて表面よりわずかに浮くあるいは隙間ができることで、外気気流５０がその隙間等に流れることにより剥がしやすくなる。
【００２８】
第１の開閉手段２１、第２の開閉手段２５の開閉動作は、モータ２８によってカムＡ３０及びカムＢ３１を回転させることで行われるが、詳細は省略する。
【００２９】
なお、本実施の形態１では、第１の開閉手段２１と第２の開閉手段２５の開閉用にモータとカムの構成を用いたが、電磁弁やバネで閉じられた蓋体が圧力差により開閉するようにして、開口部２０を通る外気の流れを制御するようにしても良い。
【００３０】
以上のように構成された本実施の形態１における電気掃除機について、その動作を図５〜７を用いて説明する。
【００３１】
電動送風機２の運転を開始すると、吸引気流が発生し、吸込具９、延長管８、先端パイプ７、ホース４、接続パイプ５、吸引口６を通じて、空気と共に、床面からの塵埃が集塵ケース３内に吸い込まれる。
【００３２】
図５に示すように集塵ケース３内に吸い込まれた塵埃に含まれた小石、綿ゴミ等の粗塵４０は、粗塵分離部１０内の粗塵フィルター１１によって捕集され、粗塵フィルター１１を通過した砂塵などの細塵４１は、細塵分離部１２のフィルター１３によって捕集される。
【００３３】
その後、掃除機本体１のスイッチ（図示せず）を切ると、図６に示すように吸引は、持続したまま自動的にモータ２８が回転し、まずカムＢ３１と突起３２が当たり回転軸２６が回転し、第２の開閉手段２５によって、吸引口６が閉じられる。
【００３４】
なお、本実施の形態では、吸引は持続したまま自動的にモータ２８を回転させたが、スイッチを切ったという認識を使用者にもってもらうため、１度電動送風機２の吸引力を落としてからモータ２８を回転させてもよい。
【００３５】
第２の開閉手段２５が閉じられてから、約０．１秒間に集塵ケース３内の圧力が約−２５０００Ｐａ〜−３５０００Ｐａまで低下してサチレーションし、その後モータ２８によって回転したカムＡ３０は、開閉棒２３を上方向に押し上げ、第１の開閉手段２１を開く。なお、本実施の形態では、約０．１秒後に第１の開閉手段２１を開いたが、これは本構成において、圧力がサチレーションする時間を予め測定した結果に基づくもので、圧力検知手段（図示せず）を設けて、圧力がサチレーションしたことを確認してから第１の開閉手段２１を開くようにしてもよい。また、サチレーションする時間および圧力は、電動送風機２の吸引力、集塵ケース３の大きさ等に依存しているためこの限りではない。
【００３６】
第１の開閉手段２１が開くと、図７に示すように、集塵ケース３内圧力と大気圧との圧力差により生じる、開口部２０から集塵ケース３内への外気気流５０が瞬間的に流れ込む。そのとき塵埃収容部１６に向かって流れる外気気流５０は、フィルター１３に付着した細塵４１を弾き飛ばし塵埃収容部１６まで移送する。このとき塵埃収容部１６には塵埃舞い上がり防止リブ１７があるため、塵埃収容部１６に収容された細塵４１が再び舞い上がることは無い。また、粗塵フィルター１１の裏面側から粗塵分離部１０に向かって流れる外気気流５０は、粗塵フィルター１１の上流側の面に付着した粗塵４０を剥がして弾き飛ばす。
【００３７】
第１の開閉手段２１を開いてから、約０．０３秒後に集塵ケース３内の圧力が約−５０００Ｐａ〜−１００００Ｐａまで増加してサチレーションし、その後モータ２８によってカムＡ３０がさらに回転して、開閉棒２３が下降すると、第１の開閉手段２１が閉まる。なお、本実施の形態では、約０．０３秒後に第１の開閉手段２１を閉じるようにしたが、これは本構成において圧力がサチレーションする時間を予め測定した結果に基づくもので、圧力検知手段を設けて圧力がサチレーションしたことを確認してから第１の開閉手段２１を閉じるようにしてもよい。また、サチレーションする時間および圧力は、電動送風機
２の吸引力、集塵ケース３の大きさ等に依存しているためこの限りではない。
【００３８】
その後、モータ２８の回転に合わせて約０．３秒後に、再び第１の開閉手段２１が開き除塵が行われこの開閉を５回繰り返す。５回目の最後は、第１の開閉手段２１を閉じた後、電動送風機２の吸引を止め、吸引圧がなくなることで、第２の開閉手段２５がバネＢ２７によって開き終了する。
【００３９】
なお、本実施の形態では、約０．３秒後に第１の開閉手段２１を再び開くようにしたが、これは本構成において圧力がサチレーションする時間を測定し、それ以上としたもので、圧力検知手段を設けて、圧力がサチレーションしたことを確認してから第１の開閉手段２１を再び開くようにしてもよい。また、密閉開放を５回繰り返したが、この回数は、フィルター１３の種類、圧力差などの条件によって最適値は異なり、５回に限るものではない。
【００４０】
また、フィルター１３は、フィルター１３自体を簡単に揺動できるように軟らかい弾性枠体１４で保持されている。
【００４１】
フィルター１３には、外気気流５０により遥動する揺動部材１５を設けているので、揺動部材１５が外気気流５０により揺れると、その揺れがフィルター１３に伝わり、図４（ｂ）に示すように、フィルター１３の表面に付着した塵埃（細塵４１）は、外気気流５０のみよりもフィルター１３の表面から外気気流５０に剥がされ下部に落ちていく。また、フィルター１３の表面に付着した塵埃が、揺動により振られて表面よりわずかに浮くあるいは隙間ができるので、外気気流５０がその隙間等に流れることにより一層剥がしやすくなる。
【００４２】
実際に、フィルター１３の表面に付着させた塵埃に揺動だけ行って見たが顕著に隙間ができることは確認できた。そこに外気気流５０が当ることで、外気気流５０だけの時よりもフィルター１３から塵埃を剥がしやすくなる。結果、塵埃を多量に吸引しても吸込力が低下しにくく、高い吸込仕事率を長期間維持することができ、さらに長期間メンテナンス不要の電気掃除機を提供することができる。
【００４３】
また、図８に示すように、揺動部材１５を、フィルター１３表面側に外気気流５０を導くように案内ガイド形状３３にして、効率よく外気気流５０をフィルター１３の表面に導くようにしても良い。これにより図８に示すように、案内ガイド形状３３により、外気気流５０は、フィルター１３の方向に向かうと共に、フィルター１３の表面に当たり、広範囲に渡り付着した塵埃をフィルター１３の表面から弾き飛ばす効果をさらに増大させることができる。案内ガイド形状３３の位置、角度、本数、長さ等の仕様は、フイルター１３の形状により最適化されるもので限定されるものではない。
【００４４】
また、図９（ａ）に示すように、フィルター１３の揺動部材１５を、フィルター１３のプリーツ形状３４の谷側３５部分に設けるようにしても良い。この谷側３５部分は、気流が通過する中で一番奥の部分であることから塵埃が一番付着しやすい。この谷側３５部分を揺動部材１５で揺らすことで、図９（ｂ）に示すように、フィルター１３の表面から外気気流５０が届きにくい部分であるにもかかわらず、揺動部材１５で谷側３５の部分を揺らすことができ、塵埃をフィルター１３の表面から剥がすことができる。特に、フィルター１３の下部では、外気気流５０の勢いが益々少なくなるがこの構成により、フィルター１３全体にわたり効率よく塵埃を剥がし除去することができる。
【００４５】
また、図１０（ａ）に示すように、フィルター１３に設ける揺動部材１５を、第１の開閉手段２１の近傍に設け、かつ揺動部材１５に外気気流５０で動く揺動体３６を設けるよ
うにしても良い。揺動体３６は、例えば、リボン状の紐などで形成すると良い。
【００４６】
上記構成により、図１０（ｂ）に示すように、外気流入５０によって揺動体３６が振れ回りフィルター１３の表面に当ることにより塵埃を剥がし、あるいは浮かせることができるものである。
【００４７】
以上のように、外気気流５０による揺動体３６の振れ回り効果により塵埃をより簡単に効率よく弾き飛ばしフィルター１３の表面上に残る塵埃も落とすことができものである。
【００４８】
また、図１１（ａ）に示すように、フィルター１３に設ける揺動部材１５を、外気気流５０により回動又は撓むように設けると共に、プリーツ形状３４に略沿うような形状とし、さらにフィルター１３に対して気流の抵抗がないように略垂直に配置するようにしても良い。
【００４９】
上記構成により、外気気流５０が、フィルター１３の表面の塵埃を除去して弾き飛ばすと同時に、図１１（ｂ）に示すように、外気気流５０により揺動部材１５は回動して下方に向き、プリーツ形状３４と揺動部材１５との間にできた隙間を弾き飛ばされた塵埃が通過する。
【００５０】
通過した塵埃は、下部に設けた塵埃収容室１６に基本的には入っていくが、一部は舞い上がり、再度フィルター１３に付着する場合がある。
【００５１】
このプリーツ形状３４に沿った揺動部材１５は、樹脂の弾性を利用して、外気気流５０の勢いがなくなると、その弾性により元の位置に戻るように構成されている。
【００５２】
これにより、弾き飛ばされた塵埃は、舞い上がり等でフィルター１３に逆流や再付着しようとしても隙間が元のように小さくなるため戻ることができずにフィルター１３の表面に再付着することができない。すなわち、流入した外気気流５０が弾き出す塵埃はフィルター１３の上部から下方へ沿って流れるように移動し、外気気流５０に対して回動する逆流防止の揺動部材１５を設けたことにより、塵埃は下方に流されるが戻らない構成にできる。
【００５３】
なお、上記揺動部材１５の形状、長さ、本数、剛性、材質はフィルター１３に合わせて最適化すればよく、限定されるものではない。
【００５４】
以上のように本実施の形態によれば、電動送風機２により吸引している状態で第２の開閉手段２５および第１の開閉手段２１を共に閉じ、集塵ケース３内の圧力をさらに大気圧より低い負圧状態にした後、第１の開閉手段２１を少なくとも１回開閉することで、集塵ケース３内圧力と大気圧との圧力差により生じる、開口部２０から集塵ケース３内への外気流入５０を発生させ、かつ外気気流５０で揺動する揺動部材１５によりフィルター１３の表面の塵埃を剥がしやすくすることで、外気気流５０によってフィルター１３の表面に付着した塵埃を効率よく除去し、塵埃を多量に吸引しても吸込力が低下しにくく、高い吸込仕事率を長期間維持することができ、さらに長期間メンテナンス不要の電気掃除機を提供することができる。
【産業上の利用可能性】
【００５５】
以上のように、本発明に係る電気掃除機は、塵埃を分離・捕集するフィルターを効率良く除塵することが可能となるので、家庭用電気掃除機及び大型の電気掃除機等の用途にも適用できる。
【符号の説明】
【００５６】
１  掃除機本体
２  電動送風機
３  集塵ケース
４  ホース
５  接続パイプ
６  吸引口
７  先端パイプ
８  延長管
９  吸込具
１０  粗塵分離部
１１  粗塵フィルター
１２  細塵分離部
１３  フィルター
１４  弾性枠体
１５  揺動部材
１６  塵埃収容部
１７  舞い上がり防止リブ
２０  開口部
２１  第１の開閉手段
２２  バネＡ
２３  開閉棒
２４  格子
２５  第２の開閉手段
２６  回転軸
２７  バネＢ
２８  モータ（駆動原）
３３  案内ガイド
３４  プリーツ形状
３５  谷側
３６  揺動体
３７  紐
５０  外気気流
【図１】
2011078613.tif 000003
【図２】
2011078613.tif 000004
【図３】
2011078613.tif 000005
【図４】
2011078613.tif 000006
【図５】
2011078613.tif 000007
【図６】
2011078613.tif 000008
【図７】
2011078613.tif 000009
【図８】
2011078613.tif 000010
【図９】
2011078613.tif 000011
【図１０】
2011078613.tif 000012
【図１１】
2011078613.tif 000013